(57)【要約】【課題】カスタム設定の設定作業を省力化する。【解決手段】電子機器であって、変更可能な設定項目に対する設定の組み合わせであるカスタム情報と、設定項目を変更する時間を規定するスケジュール情報とを受け付ける受付部と、カスタム情報とスケジュール情報に基づいて設定項目を変更する変更部とを備える。上記電子機器において、使用者の入力に従ってカスタム情報を生成するカスタム情報生成部と、使用者の入力に従ってスケジュール情報を生成するスケジュール情報生成部とをさらに備えてもよい。【選択図】図１３
2014225154.tif 000002
【特許請求の範囲】
【請求項１】
変更可能な設定項目に対する設定の組み合わせであるカスタム情報と、前記設定項目を変更する時間を規定するスケジュール情報とを受け付ける受付部と、
前記カスタム情報と前記スケジュール情報に基づいて前記設定項目を変更する変更部と
を備える電子機器。
【請求項２】
使用者の入力に従って前記カスタム情報を生成するカスタム情報生成部と、
使用者の入力に従って前記スケジュール情報を生成するスケジュール情報生成部と、
をさらに備える請求項１に記載の電子機器。
【請求項３】
前記電子機器の現在の使用者に関する現使用者情報を取得する取得部をさらに備え、
前記受付部は、前記設定項目の変更を適用する使用者に関する適用使用者情報を受け付け、
前記変更部は、前記現使用者情報と前記適用使用者情報を比較して、前記設定項目を変更するか否かを決定する請求項１または２に記載の電子機器。
【請求項４】
前記受付部は、前記カスタム情報と前記スケジュール情報の少なくともいずれかをネットワークを介して受信する請求項１から３のいずれか１項に記載の電子機器。
【請求項５】
前記受付部は、イベント情報を含む前記スケジュール情報と、前記イベント情報と関連する過去のイベント情報に関連付けられたカスタム情報から生成された前記カスタム情報とを受け付ける請求項１から４のいずれか１項に記載の電子機器。
【請求項６】
請求項１から５のいずれか１項に記載の電子機器へ前記カスタム情報と前記スケジュール情報を送信する送信装置であって、
送信先の前記電子機器を特定する特定部と、
使用者の入力に従って前記カスタム情報を生成するカスタム情報生成部と、
使用者の入力に従って前記スケジュール情報を生成するスケジュール情報生成部と、
前記特定部が特定した前記電子機器へ、前記カスタム情報と前記スケジュール情報を送信する送信部と
を備える送信装置。
【請求項７】
前記カスタム情報生成部は、前記特定部が特定した前記電子機器に対応する設定画面を表示して使用者に前記設定項目を設定させるユーザインタフェースを有する請求項６に記載の送信装置。
【請求項８】
前記カスタム情報生成部は、過去のイベント情報に関連付けられた前記カスタム情報を表示するユーザインタフェースを有する請求項６または７に記載の送信装置。
【請求項９】
前記スケジュール情報生成部は、前記スケジュール情報に含まれるイベント情報を生成する
請求項８に記載の送信装置。
【請求項１０】
変更可能な設定項目に対する設定の組み合わせであるカスタム情報と、前記設定項目を変更する時間を規定するスケジュール情報とを受け付ける受付ステップと、
前記カスタム情報と前記スケジュール情報に基づいて前記設定項目を変更する変更ステップと
をコンピュータに実行させる電子機器の制御プログラム。
【請求項１１】
請求項１０に記載の電子機器へ前記カスタム情報と前記スケジュール情報とを送信する送信装置の制御プログラムであって、
送信先の前記電子機器を特定する特定ステップと、
使用者の入力に従って前記カスタム情報を生成するカスタム情報生成ステップと、
使用者の入力に従って前記スケジュール情報を生成するスケジュール情報生成ステップと、
前記特定ステップにおいて特定した前記電子機器へ、前記カスタム情報と前記スケジュール情報とを送信する送信ステップと
をコンピュータに実行させる送信装置の制御プログラム。
【発明の詳細な説明】
【技術分野】
【０００１】
本発明は、電子機器、送信装置および制御プログラムに関する。
【背景技術】
【０００２】
ユーザの個別の指定に応じて設定を変更するカスタム設定機能を備えた電子機器がある（例えば、特許文献１参照）。
特許文献１  特開２０１０−０３５０４８号公報
【発明の概要】
【発明が解決しようとする課題】
【０００３】
カスタム設定できる設定項目が増えており、使用時に設定作業を強いられると、当該電子機器を即座には使用できないという問題が顕著になってきた。
【課題を解決するための手段】
【０００４】
本発明の第１の態様においては、変更可能な設定項目に対する設定の組み合わせであるカスタム情報と、設定項目を変更する時間を規定するスケジュール情報とを受け付ける受付部と、カスタム情報とスケジュール情報に基づいて設定項目を変更する変更部とを備える電子機器が提供される。
【０００５】
本発明の第２の態様においては、上記の電子機器へカスタム情報とスケジュール情報を送信する送信装置であって、対象となる電子機器を特定する特定部と、使用者の入力に従ってカスタム情報を生成するカスタム情報生成部と、使用者の入力に従ってスケジュール情報を生成するスケジュール情報生成部と、特定部が特定した電子機器へ、カスタム情報とスケジュール情報を送信する送信部とを備える送信装置が提供される。
【０００６】
本発明の第３の態様においては、変更可能な設定項目に対する設定の組み合わせであるカスタム情報と、設定項目を変更する時間を規定するスケジュール情報とを受け付ける受付ステップと、カスタム情報とスケジュール情報に基づいて設定項目を変更する変更ステップとをコンピュータに実行させる電子機器の制御プログラムが提供される。
【０００７】
本発明の第４の態様においては、上記の電子機器へカスタム情報とスケジュール情報を送信する送信装置の制御プログラムであって、対象となる電子機器を特定する特定ステップと、使用者の入力に従ってカスタム情報を生成するカスタム情報生成ステップと、使用者の入力に従ってスケジュール情報を生成するスケジュール情報生成ステップと、特定部が特定した電子機器へ、カスタム情報とスケジュール情報を送信する送信ステップとをコンピュータに実行させる送信装置の制御プログラムが提供される。
【０００８】
上記の発明の概要は、本発明の必要な特徴の全てを列挙したものではない。これらの特徴群のサブコンビネーションもまた発明となり得る。
【図面の簡単な説明】
【０００９】
【図１】カメラ１０１、１０２、１０３の使用環境を示す模式図である。
【図２】カメラ１０１のブロック図である。
【図３】カメラ１０１における使用者登録を説明する図である。
【図４】カメラ１０１におけるサーバへの登録を説明する図である。
【図５】端末装置２０１のブロック図である。
【図６】端末装置２０１における初期設定を説明する図である。
【図７】端末装置２０１における使用者および機器の登録を説明する図である。
【図８】端末装置２０１におけるカスタム情報入力を説明する図である。
【図９】端末装置２０１におけるカスタム情報入力を説明する図である。
【図１０】カスタム設定情報の模式図である。
【図１１】端末装置２０１におけるイベント情報入力を説明する図である。
【図１２】端末装置２０１におけるスケジュール情報入力を説明する図である。
【図１３】スケジュール情報６０４の模式図である。
【図１４】カメラ１０１の動作手順を示す流れ図である。
【図１５】カメラ１０１の動作手順の一部を詳細に示す流れ図である。
【図１６】蓄積情報６０５の模式図である。
【発明を実施するための形態】
【００１０】
以下、発明の実施の形態を通じて本発明を説明する。下記の実施形態は特許請求の範囲に係る発明を限定するものではない。また、実施形態の中で説明されている特徴の組み合わせの全てが発明の解決手段に必須であるとは限らない。
【００１１】
図１は、カメラ１０１、１０２、１０３の使用環境を示す模式図である。電子機器であるカメラ１０１、１０２、１０３は、例えば、ひとつの家庭で共有され、家族の誰かが使用する。カメラ１０１、１０２、１０３の各々は、使用者により操作されるボタン、レバー、ダイヤル等の操作部１１２と、文字、映像等を表示する表示部１１４とを有する。
【００１２】
また、カメラ１０１、１０２、１０３の各々は、例えば指紋スキャナである生体センサ１１１を有する。これにより、カメラ１０１、１０２、１０３は、当該カメラ１０１、１０２、１０３を手に取って使用する使用者を識別するための生体情報を取得できる。更に、カメラ１０１、１０２、１０３は、インターネット１００に接続する通信機能を有し、インターネット１００を通じて、端末装置２０１、２０２、２０３およびサーバ３０１と通信できる。
【００１３】
なお、カメラ１０１、１０２、１０３の各々は、操作部１１２の操作に対する動作、表示部１１４への表示等を、使用者の希望に応じて個別に設定できるカスタム設定機能を有する。ただし、カスタム設定により設定できる設定項目種類、設定内容、設定範囲等は、カメラ１０１、１０２、１０３の機種に応じて異なる。
【００１４】
端末装置２０１、２０２、２０３の各々は、キーボード、マウス、タッチパネル等の操作部２１１と、画像、文字等を表示する表示部２１２とを有して、カメラ１０１、１０２、１０３を使用する家庭の家族により使用される。端末装置２０１、２０２、２０３は、インターネット１００を通じて、カメラ１０１、１０２、１０３およびサーバ３０１と通信できる。端末装置２０１、２０２、２０３は、例えばパーソナルコンピュータにより形成できる。なお、端末装置２０１、２０２、２０３は、操作部、表示部および通信部を備えていれば、パーソナルコンピュータに限らず、様々な情報処理装置、例えば、携帯電話、スマーフォン、タブレット、専用リモコンにより形成することもできる。
【００１５】
サーバ３０１は、インターネット１００を介して、カメラ１０１、１０２、１０３および端末装置２０１、２０２、２０３をクライアントとするデータベースサーバを含む。よって、カメラ１０１、１０２、１０３と、端末装置２０１、２０２、２０３とは、サーバ３０１を通じてデータを共有できる。
【００１６】
図２は、カメラ１０１のブロック図である。カメラ１０１は、既に説明した生体センサ１１１、操作部１１２および表示部１１４に加えて、通信部１１３、撮像部１１５、二次記憶部１１６、制御部１１７、格納部１１８および時計１１９を備える。
【００１７】
通信部１１３は、カメラ１０１の通信機能を担い、インターネット１００およびサーバ３０１を通じて端末装置２０１、２０２、２０３と情報を交換する。これにより、カメラ１０１は、端末装置２０１、２０２、２０３およびサーバ３０１と同期して情報を共有する。
【００１８】
撮像部１１５は、光学系を通じてカメラ１０１が取得した光学像を電気信号に変換して画像ファイルを生成する。これにより、カメラ１０１は、使用者が撮影を指示した画像を記録することができる。二次記憶部１１６は、撮像部１１５により画像ファイル化された画像を格納して保存する。時計１１９は、日時に関する情報をカメラ１０１に供給する。供給される日時に関する情報は、年月日および時刻の他に、曜日、祝日、六曜等の情報を含んでもよい。
【００１９】
制御部１１７は、カメラ１０１全体の動作を制御する。また、制御部１１７は、取得部４１０、受付部４２０、変更部４３０およびカスタム情報実行部４４０を有する。
【００２０】
取得部４１０は、カメラ１０１を手に取って使用する使用者の生体情報を、生体センサ１１１を通じて取得する。取得部４１０が使用者情報として取得した生体情報は、格納部１１８の使用者情報格納部４５０に格納される。これにより、制御部１１７は、同じ使用者がカメラ１０１を使用する場合に、使用者を識別できる。
【００２１】
受付部４２０は、操作部１１２および通信部１１３のいずれかから、カメラ１０１のカスタム情報およびスケジュール情報を受け付ける。カスタム情報は、カメラ１０１の動作に関して変更可能な設定項目の設定値の組み合わせを含む。受付部４２０が受け付けたカスタム情報は、格納部１１８のカスタム情報格納部４６０に格納される。
【００２２】
スケジュール情報は、上記カスタム情報に含まれる設定値を、カメラ１０１の設定項目に反映させる時間を規定する情報を含む。受付部４２０が受け付けたスケジュール情報は、格納部１１８のスケジュール情報格納部４７０に格納される。
【００２３】
カメラ１０１の使用者は、表示部１１４の表示を参照しつつ操作部１１２を操作することにより、カスタム情報の設定項目毎に設定値を個々に入力できる。また、予め入力して保存された設定値の組み合わせを操作部１１２の操作で呼び出して、複数の設定値をまとめて入力することもできる。受付部４２０は、入力された設定値をカスタム情報として受け付ける。なお、カメラ１０１において入力されたカスタム情報は、カメラ１０１がインターネット１００に接続された状態になる毎に、通信部１１３およびインターネット１００を通じて、端末装置２０１、２０２、２０３およびサーバ３０１と同期して共有化される。
【００２４】
また、受付部４２０は、カメラ１０１がインターネット１００に接続された状態になる毎に、通信部１１３を通じて、端末装置２０１またはサーバ３０１からカスタム情報を受け付けてもよい。これにより、カメラ１０１のカスタム情報格納部４６０に格納されるカスタム情報も、端末装置２０１、２０２、２０３およびサーバ３０１と同期される。
【００２５】
使用者は、カメラ１０１の表示部１１４の表示を参照しつつ操作部１１２を操作することにより、スケジュール情報に関する設定項目毎に設定値を個々に入力できる。受付部４２０は、入力された設定値をスケジュール情報として受け付ける。また、受付部４２０が受け付けるスケジュール情報は、カメラ１０１がインターネット１００に接続された状態になる毎に、通信部１１３を通じて、端末装置２０１またはサーバ３０１から受け付けてもよい。スケジュール情報も、カメラ１０１がインターネット１００に接続された状態になる毎に、端末装置２０１、２０２、２０３およびサーバ３０１と同期して共有化される。
【００２６】
変更部４３０は、時計１１９から取得した時刻を参照して、スケジュール情報格納部４７０に格納されたスケジュール情報に従って、カスタム情報格納部４６０に格納されたカスタム情報をカスタム情報実行部４４０に設定する。これにより、カメラ１０１は、個々の使用者が指定した設定で使用できる状態になる。
【００２７】
図３は、カメラ１０１に対する使用者登録の作業内容を説明する図である。図３（ａ）は、カメラ１０１の表示部１１４に表示されたセットアップメニューを示す。セットアップメニューは、カメラ１０１における数々の設定項目の設定値を変更する場合に表示される。図示の例では、項目「使用者の登録」が、指定枠６１０により選択された状態が表示される。
【００２８】
図３（ｂ）は、選択した「使用者の登録」を実行した場合の、表示部１１４の表示内容を示す。表示を見た使用者は、表示部１１４の上部に表示された「使用者名を入力して下さい」とのメッセージ６２０をみて、表示画面上の文字をカーソル６４０により選択して、登録する使用者の名前を入力フィールド６３０入力する。
【００２９】
次に、表示部１１４の下部に表示された「センサに指先を当てて下さい」とのメッセージ６２０を読んで、生体センサ１１１に指先をあてる。これにより、使用者の指紋画像である生体情報がカメラ１０１に入力される。入力された生体情報は、取得部４１０に取得され、予め入力された使用者名と関連付けて使用者情報格納部４５０に格納される。
【００３０】
これにより、図３（ｃ）に示すように、使用者情報格納部４５０には、使用者名と生体情報とを対応させた使用者情報６０１が生成される。よって、同じ使用者が次にカメラ１０１を使用する場合に、当該使用者がカメラ１０１のグリップを握った段階で、使用者「お父さん」であることをカメラ１０１が識別できる。なお、これらの段階で生成された使用者情報６０１も、カメラ１０１がインターネット１００に接続された状態になる毎に、端末装置２０１、２０２、２０３およびサーバ３０１と同期して共有化される。
【００３１】
図４は、カメラ１０１におけるサーバへの登録を説明する図である。図４（ａ）は、カメラ１０１の表示部１１４に表示されたセットアップメニューを示す。図示のセットアップメニューにおいては、「サーバへの登録」が指定枠６１０により選択された状態が表示される。
【００３２】
図４（ｂ）は、選択した「サーバへの登録」を実行した場合の、表示部１１４の表示内容を示す。表示部１１４の上部に表示された「アカウント名を入力して下さい」とのメッセージ６２０を見た使用者は、表示画面上の文字をカーソル６４０で選択することにより、サーバ３０１に対してアクセスする場合のアカウント名、カメラ１０１の個体を特定する機体情報等を入力フィールド６３０に入力する。
【００３３】
なお、カメラ１０１の製造番号等は、カメラ１０１自体のＲＯＭに書き込まれている場合も多い。よって、機体情報は、使用者に入力させることなく入力することができる場合もある。こうして入力されたアカウント名および機体情報は、インターネット１００を通じてサーバ３０１に転送される。
【００３４】
これにより、図４（ｃ）に示すように、サーバ３０１には、アカウント名とカメラ１０１の個体とが関連付けられた機体情報６０２が格納される。以降、カメラ１０１は、自宅のＬＡＮ、公衆無線ＬＡＮ、形態電話回線等からインターネット１００を通じて、サーバ３０１にアクセスできる状態になる。なお、「サーバへの登録」が完了することにより、サーバ３０１がカメラ１０１にアクセス可能としてもよい。
【００３５】
図５は、端末装置２０１のブロック図である。端末装置２０１は、既に説明した操作部２１１および表示部２１２に加えて、通信部２１３、二次記憶部２１４、制御部２１５および格納部２１６を備える。
【００３６】
通信部２１３は、端末装置２０１の通信機能を担い、インターネット１００およびサーバ３０１を通じてカメラ１０１、１０２、１０３と情報を交換する。これにより、端末装置２０１は、端末装置２０１、２０２、２０３およびサーバ３０１と同期して情報を共有できる。
【００３７】
制御部２１５は、端末装置２０１全体の動作を制御する。また、制御部２１５は、特定部５１０、カスタム情報生成部５２０、スケジュール情報生成部５３０および送信部５４０を有する。
【００３８】
特定部５１０は、使用者により入力されたカメラ１０１、１０２、１０３の機種、製造番号、ニックネーム等に基づいて機体情報を生成する。特定部５１０により生成された機体情報は、格納部２１６の特定情報格納部５５０に格納される。
【００３９】
また、特定部５１０は、使用者によりカメラ１０１、１０２、１０３のニックネームが入力された場合に、特定情報格納部５５０に格納された機体情報に基づいて、カメラ１０１、１０２、１０３の機種を特定する。これにより、端末装置２０１は、カメラ１０１、１０２、１０３の、機種を把握する。
【００４０】
既に説明した通り、個々のカメラ１０１、１０２、１０３に設定できる設定項目は機種に応じて異なる。よって、特定部５１０がカメラ１０１、１０２、１０３の機種を特定することにより、端末装置２０１において適切なカスタム情報を生成できる。
【００４１】
また、特定部５１０は、使用者によりカメラ１０１、１０２、１０３のニックネームが入力された場合に、特定情報格納部５５０に格納された機体情報に基づいて、カメラ１０１、１０２、１０３の個体を特定する。特定部５１０が参照する機体情報の少なくもと一部は、サーバ３０１に登録された機体情報と共通する。これにより、端末装置２０１から、サーバ３０１を通じて、使用者が意図するカメラ１０１、１０２、１０３の個体と通信を確立できる。
【００４２】
カスタム情報生成部５２０は、操作部２１１を通じて使用者が入力した設定項目の設定値を含むカスタム情報を生成する。生成されるカスタム情報は、特定部５１０により特定されたカメラ１０１、１０２、１０３の機種に応じて、その動作に関して変更可能な設定項目の設定値の組み合わせを含む。カスタム情報生成部５２０により生成されたカスタム情報は、機体情報と共に、格納部２１６のカスタム情報格納部５７０に格納される。
【００４３】
スケジュール情報生成部５３０は、カスタム情報に含まれる設定値を、カメラ１０１、１０２、１０３のいずれかの設定項目に反映させる日時や時間を規定する情報を含む。スケジュール情報生成部５３０により生成されたスケジュール情報は、機体情報と共に、格納部２１６のスケジュール情報格納部５８０に格納される。
【００４４】
送信部５４０は、カスタム情報格納部５７０に格納されたカスタム情報と、スケジュール情報格納部５８０に格納されたスケジュール情報とを、特定部５１０により特定された、スケジュール情報を適用すべきカメラ１０１、１０２、１０３の機体情報と共に、インターネット１００を通じてサーバ３０１に送信する。サーバ３０１は、機体情報に対応するカメラ１０１、１０２、１０３と通信できる状態になった場合に、これらカスタム情報およびスケジュール情報をカメラ１０１、１０２、１０３に送信する。
【００４５】
このように、端末装置２０１は、特定部５１０が特定した特定のカメラ１０１、１０２，１０３に適したカスタム情報を生成できる。また、端末装置２０１は、生成したカスタム情報およびスケジュール情報を、特定部５１０が特定したカメラ１０１、１０２、１０３に送信して共有できる。
【００４６】
また、端末装置２０１は、操作部２１１、表示部２１２および通信部２１３を備えていれば、パーソナルコンピュータに限らず、様々な情報処理装置、例えば、携帯電話、スマーフォン、タブレット、専用リモコンにより形成することができる。また、サーバ３０１から提供されるウェブアプリケーションにより、インターネットブラウザの画面上に仮想的に形成することもできる。
【００４７】
図６は、端末装置２０１における初期設定の作業内容を説明する図である。図６（ａ）は、端末装置２０１の表示部２１２に表示された初期メニューを示す。初期メニューには、汎用パーソナルコンピュータである端末装置２０１に実装されたアプリケーションソフトウェアであるＰＣ入力ツールで実行できる項目が列挙される。図示の例では、「初期設定」を指定枠６１０により選択した状態が表示される。
【００４８】
図６（ｂ）は、選択した「初期設定」を実行した場合の、表示部２１２の表示内容を示す。表示部２１２の上部に表示された「アカウント情報を入力して下さい」とのメッセージ６２０を見た使用者は、サーバ名の入力フィールド６３０にサーバ３０１のサーバ名を、アカウント名の入力フィールド６３０に使用者自身のアカウント名を、それぞれ入力する。これにより、端末装置２０１とサーバ３０１との間に通信が確立し、サーバ３０１を通じて、端末装置２０１とカメラ１０１、１０２、１０３との間でカスタム情報およびスケジュール情報を共有できる状態になる。なお、端末装置２０１とカメラ１０１、１０２、１０３との間で直接通信ができる場合には、必ずしもサーバ３０１を通じて、カスタム情報およびスケジュール情報を共有する必要はない。
【００４９】
図７は、端末装置２０１における使用者の登録および機種の登録の作業内容を説明する図である。図７（ａ）は、端末装置２０１の表示部２１２に表示される初期メニューを再び示す。図示の状態では、列挙された項目のうち、「使用者、機器登録」が指定枠６１０により選択されている。
【００５０】
図７（ｂ）は、「使用者の登録」の入力画面を示す。表示部２１２の上部に表示された「使用者名を入力して下さい」とのメッセージ６２０に対して、使用者は、複数の入力フィールド６３０に、カメラ１０１、１０２、１０３を使用する可能性がある複数の使用者の名前を入力する。ここで登録する使用者名は、カメラ１０１、１０２、１０３に登録した使用者名と対応する。
【００５１】
図７（ｃ）は、「機体の登録」の入力画面を示す。表示部２１２の上部に表示された「機体情報とニックネームを入力して下さい」とのメッセージ６２０に対して、使用者は、複数の入力フィールド６３０に、カメラ１０１、１０２、１０３の機体情報を個別に入力する。機体情報は、使用するカメラ１０１、１０２、１０３の型式等により表現された機種情報と、製造番号により表現された個体情報とを含む。また、ニックネームは、使用者が分かりやすい個体名とする。
【００５２】
これにより、端末装置２０１において、複数のカメラ１０１、１０２、１０３の機種および個体を識別できると共に、使用者は、複数のカメラ１０１、１０２、１０３を、自分にとって分かりやすいニックネームで区別できる。以降、ＰＣ入力ツールにおけるカスタム情報入力およびスケジュール情報入力においては、上記の登録により登録された使用者と機体が処理の対象となる。
【００５３】
図８は、端末装置２０１におけるカスタム情報入力を説明する図である。図８（ａ）は、端末装置２０１の表示部２１２に表示される初期メニューを示す。図示の状態では、列挙された項目のうち「カスタム情報入力」が指定枠６１０により選択されている。
【００５４】
図８（ｂ）は、「カスタム情報入力」が選択された直後の入力画面を示す。表示部２１２の上部に表示された「設定する機器を選んで下さい」とのメッセージ６２０を見た使用者は、プルダウンメニュー６５０においてカメラ１０１、１０２、１０３のいずれかのニックネームを選択することにより、これから設定するカスタム情報の適用対象を特定する。
【００５５】
ニックネームは、「使用者、機器登録」において登録した使用者名から選択できる。また、いずれかのニックネームを選択した場合、プルダウンメニュー６５０の下に配された表示枠６６０に、対応するカメラ１０１、１０２、１０３の機種および個体の情報が表示される。これにより、ニックネームで選択したカメラ１０１、１０２、１０３の個体を確認できる。
【００５６】
また、同じ表示画面において、表示部２１２の下部に表示された「カスタム設定の保存先を選んで下さい」とのメッセージ６２０を見た使用者は、プルダウンメニュー６５０により、これから入力する設定項目の設定値を適用するカスタム設定を特定できる。これにより、例えば、これから設定する用途に近い設定値を有するカスタム設定を選択して、設定値を入力する設定項目の種類を減らすことができる。また、選択すべき既存のカスタム設定がない場合は、「新規」と表示されたボタン６７０を押すことにより、全く新しいカスタム設定を生成することもできる。
【００５７】
図９は、端末装置２０１におけるカスタム情報入力を説明する図である。図９（ａ）は、端末装置２０１の表示部２１２に表示されるカスタム情報入力のメニューのうち、第１階層メニューを示す。また、図示の例では、第１階層メニューの選択項目のうち、「ｆ．操作」が指定枠６１０により選択されている。
【００５８】
図９（ｂ）は、表示部２１２に表示されるカスタム情報入力のメニューのうち、第２階層メニューを示す。第２階層メニューは、第１階層メニューの選択項目のうちのいずれかが選択された場合に、選択された項目に対応して表示される。図示の例では、第１階層メニューにおいて選択された「ｆ．操作」に対応する第２階層メニューが表示されている。また、図示の例では、第２階層メニューの選択項目のうち、「ｆ−５．ＡＥ／ＡＦロックボタンの機能」が指定枠６１０により選択されている。
【００５９】
図９（ｃ）は、表示部２１２に表示されるカスタム情報入力のメニューのうち、第３階層メニューを示す。第３階層メニューは、第２階層メニューの選択項目のうちのいずれかが選択された場合に、選択された項目に対応して表示される。図示の例では、第２階層メニューにおいて選択された「ｆ−５．ＡＥ／ＡＦロックボタンの機能」に対応する第３階層メニューが表示されている。また、図示の例では、第３階層メニューの選択項目のうち、「ＡＦ−ＯＮ  ＡＦが動作（半押しでＡＦしない）」が指定枠６１０により選択されている。
【００６０】
このように、カスタム情報入力においては、３階層のメニューを選択することにより、変更可能な設定項目に対する設定が指定される。また、第１階層から第３階層までの他の項目を順次選択することにより、設定の組み合わせであるカスタム情報を生成することができる。
【００６１】
なお、上記のようなカスタム情報入力における表示部２１２の表示内容は、これらの設定の対象となるカメラ１０１、１０２、１０３のいずれかの表示部１１４におけるカスタム設定メニューに似せた表示にすることが好ましい。よって、３台のカメラ１０１、１０２、１０３が登録されている場合は、その各々におけるカスタム設定メニューに対応した表示内容、設定形式、デザイン等のユーザインタフェースを用意して、指定された機種に応じて表示する。これにより、カメラ１０１、１０２、１０３の使用者は、表示部２１２においても直感的にカスタム情報を入力できる。
【００６２】
図１０は、上記のような入力により生成されたカスタム情報６０３を模式的に示す図である。図示のように、カスタム情報６０３の各々は、対応するカメラ１０１、１０２、１０３（「カメラ１、２、３・・・」）と、カスタム設定を識別するカスタム設定ＩＤ（「カスタム設定１、２、３・・・」）と、設定項目の各々に対する設定内容のリストとを含む。生成されたカスタム設定は、カメラ１０１、１０２、１０３のいずれかと、サーバ３０１および端末装置２０１、２０２、２０３との間で共有される。
【００６３】
このように、カスタム情報６０３は、カスタム設定機能により変更可能な設定項目に対する設定の組み合わせたデータ構造を有する。カスタム設定機能により変更可能な設定項目は、カメラ１０１、１０２、１０３の機種毎に異なるので、カスタム情報６０３の内容は、カメラ１０１、１０２、１０３の機種に応じて異なる。また、同じ機種であっても、全ての設定項目に対して設定が変更されるとは限らない。更に、カスタム情報６０３に、当該カスタム設定を利用する日時、場所、イベント種別、使用者等も含ませてもよい。
【００６４】
図１１は、端末装置２０１におけるスケジュール情報入力を説明する図である。図１１（ａ）は、端末装置２０１の表示部２１２に表示される初期メニューを示す。図示の状態では、列挙された項目のうち「スケジュール情報入力」が指定枠６１０により選択されている。
【００６５】
図１１（ｂ）は、「スケジュール情報入力」が選択された直後の「イベント情報入力」の画面を示す。入力画面に表示された「イベントとその場所、日時を入力して下さい」とのメッセージ６２０に対して、使用者は、カメラ１０１、１０２、１０３を使用予定の場所とイベントの種類とを、入力フィールド６３０に入力する。また、プルダウンメニュー６５０により、当該イベントの日時を入力する。なお、これら、イベント、場所、日時の入力は、端末装置２０１が参照できる他のスケジュール情報を参照して自動的に入力してもよい。
【００６６】
イベントの種類、場所、日時を含むイベント情報の入力が確定されると、端末装置２０１の表示部２１２には、入力されたイベントが書き込まれたカレンダー枠６８０が表示される。こうして、端末装置２０１において、イベント情報を含むスケジュール情報６０４が生成される。なお、カレンダー枠６８０は、プルダウンメニュー６５０の操作により、他の月のスケジュール情報の表示に切り換えることもできる。また、スケジュール情報６０４を表示部２１２に表示する場合は、他の形式に変換して表示してもよい。
【００６７】
図１２は、端末装置２０１におけるスケジュール情報入力の続きを説明する図である。図１２（ａ）は、図１１（ｃ）に示したカレンダー枠６８０のうち、点線Ａで囲って示した、表示領域の一部を拡大して示す。スケジュール情報の一部であるイベント情報が記入された直後は、当該イベントが記載された枠に、「設定無」と表示されたボタン６７０が表示される。そこで、この「設定無」と表示されたボタン６７０を押すことにより、スケジュール情報に含まれるカスタム設定番号等を入力できる。すなわち、スケジュール情報に含まれるイベントにおいて使用する機体、使用者と、当該機体を使用する場合のカスタム設定の集まりを示すカスタム設定番号とを入力できる。
【００６８】
図１２（ｂ）は、図１１（ａ）において「設定無」と表示されたボタン６７０を押すことにより、端末装置２０１の表示部２１２に表示される画面を示す。表示部２１２の上部に配された表示枠６６０には、スケジュール情報の一部として既に入力されたイベントの種類、場所、日時が表示される。
【００６９】
上記の表示枠６６０の直下には、「機体、使用者、設定番号を選んで設定して下さい」とのメッセージ６２０が表示される。そこで、表示されたイベントにおいて使用する機体、当日の使用者、使用する場合のカスタム設定番号を、プルダウンメニュー６５０により順次指定する。
【００７０】
ここで、プルダウンメニュー６５０には、それぞれ、既に登録された機体、使用者および各カメラにおいて設定し得るカスタム設定番号が選択肢として表示される。プルダウンメニュー６５０に希望する選択肢が表示されない場合は、「新規」と表示されたボタン６７１を押すことにより、機体の登録、使用者の登録およびカスタム情報入力のいずれかの画面にジャンプして、新しい選択肢を生成することができる。
【００７１】
また、表示部２１２の下部に表示された表示枠６６０には、同じイベント、例えば「運動会」に関して、過去に設定したことがあるカスタム設定番号が表示される。これにより、今回のイベントのために設定するカスタム設定番号を選択する場合の参考にできる。
【００７２】
更に、過去の設定が表示された表示枠６６０を例えばクリックすることにより、過去に設定されたカスタム設定に係るカスタム情報、即ち、個別の設定項目を表示部２１２に表示してもよい。これにより、過去の設定をいっそう詳細に参照することができる。また更に、上記の例では、運動会というイベントの種類をキーにして過去のカスタム設定番号を表示させたが、例えば、使用する機体、使用者等が関連するカスタム設定番号を表示してもよい。また、祝日、六曜等の情報が共通するカスタム設定番号を表示してもよい。
【００７３】
また更に、同じイベントに対する過去の設定を示すカスタム設定番号が表示された場合に、図１２（ｂ）に示すように、表示枠６６０に隣接して表示される「前回と同じに」のボタン６７２を押すことにより、前回のカスタム設定番号と同じ設定をそのまま設定できる。これにより、カスタム設定を大幅に省力化できる。また、同じ種類のイベントに対する過去の設定を示すカスタム情報が複数表示された場合には、いずれのカスタム設定番号を参照するかを選ぶアイコン等を設けてもよい。
【００７４】
上記のようにして、イベントに対して設定される機体、使用者、カスタム設定番号が決定されると、「設定」と表示されたボタン６７３を押すことにより、選択した設定をスケジュール情報に設定できる。これにより、図１２（ｃ）に示すように、カレンダー枠の該当部分に入れたボタン６７０の表示が「設定有」に変化する。
【００７５】
なお、「設定有」と表示されたボタン６７０を押して、同じイベント情報に対して他のカスタム設定番号を追加設定することもできる。ただし、この場合追加設定できるのは、機体および使用者のいずれか一方が、既に設定されているカスタム情報と異なる設定に限られる。よって、「設定有」と表示されたボタン６７０が押された場合は、設定できる選択肢に制限がある旨のメッセージ６２０を表示してもよい。
【００７６】
図１３は、上記のような入力により生成されたスケジュール情報６０４を模式的に示す図である。それぞれのスケジュール情報６０４は、イベントの種別、日時、場所等の情報と共に、機体情報、適用使用者情報およびカスタム設定番号を含む。
【００７７】
なお、図１３に示したスケジュール情報６０４は、適用使用者情報、イベント情報、機体情報およびカスタム設定番号を含むが、当該カスタム設定番号に対応するカスタム情報６０３自体は含まない。しかしながら、指定されたカスタム設定番号に対応するカスタム情報６０３を、個々のスケジュール情報６０４に併せて書き込んでもよい。これにより、スケジュール情報６０４が入力された時点でユーザが意図したカスタム情報６０３と、使用の対象となるカメラ１０１、１０２、１０３に設定されているカスタム情報６０３とが一致しているか否かを調べることができる。
【００７８】
また、スケジュール情報６０４の各々は、そのスケジュール情報６０４が該当するいずれかのカメラ１０１、１０２、１０３と、サーバ３０１および端末装置２０１、２０２、２０３において共有される。これにより、図１２（ｂ）に示した画面において過去のカスタム情報を表示する場合に、カメラ１０１、１０２、１０３および端末装置２０１、２０２、２０３の双方から、スケジュール情報６０４を参照することができる。
【００７９】
このように、スケジュール情報６０４は、日時、場所、イベント種別と共に、当該イベントにおいて使用されるカメラ１０１、１０２、１０３とその使用者とを含むデータ構造を有する。更に、スケジュール情報６０４は、当該スケジュール情報６０４により指定された使用者が指定されたカメラ１０１、１０２、１０３を使用する場合のカスタム設定を指定するカスタム設定番号も含む。カメラ１０１、１０２、１０３における変更部４３０は、カスタム設定番号をリンク情報とすることにより、スケジュール情報６０４とカスタム情報６０３とを結びつけて、スケジュール情報６０４に応じてカスタム設定を変更することができる。
【００８０】
なお、カスタム情報６０３とスケジュール情報６０４とを結びつけるリンク情報は、カスタム情報６０３に書き込んでもよい。更に、対応するカスタム情報６０３の内容とスケジュール情報６０４の内容とを両方含んだ情報を生成して、変更部４３０が参照するようにしてもよい。また更に、複数あるカスタム情報６０３のいずれかと、複数のスケジュール情報６０４のいずれかとの対応関係を示すリンク情報を、カスタム情報６０３およびスケジュール情報６０４とは別に用意して、変更部４３０から参照させてもよい。
【００８１】
図１４は、カメラ１０１における変更部４３０の、スケジュール情報６０４に関する動作手順を示す流れ図である。変更部４３０は、カメラ１０１が撮影モードで動作する場合の設定項目の設定値を、カスタム情報に従ってカスタム情報実行部４４０に設定する。よって、カメラ１０１の電源がオンになった場合、変更部４３０は、まず、カメラ１０１が撮影モードになっているか否かを調べる（ステップＳ１０１）。
【００８２】
カメラ１０１が撮影モードではない場合（ステップＳ１０１：ＮＯ）、変更部４３０はカメラ１０１の動作モードを監視しつつ待機する。カメラの動作モードが撮影モードである場合は（ステップＳ１０１：ＹＥＳ）、その時点で設定されている撮影モードで動作を開始する（ステップＳ１０２）。続いて、変更部４３０は、時計１１９から年月日および時刻を取得して、その時点の日時に該当する日時を含むスケジュール情報６０４が存在するか否かを調べる（ステップＳ１０３）。
【００８３】
該当するスケジュール情報６０４が存在しない場合（ステップＳ１０３：ＮＯ）、変更部４３０は、カメラ１０１の撮影モードが終了しているか否かを調べる（ステップＳ１０７）。これによりカメラ１０１の撮影モードが終了していることが判った場合（ステップＳ１０７：ＹＥＳ）は、変更部４３０の処理は終了する。また、ステップＳ１０７において、カメラ１０１の撮影モードが終了していない、即ち、撮影モードが継続していることが判った場合（ステップＳ１０７：ＮＯ）、変更部４３０は、再び該当スケジュール情報を検索するステップＳ１０３に処理を戻す。なお、変更部４３０が待機している期間も、カメラ１０１自体は、既に設定されているカスタム設定に応じて撮影モードの動作を継続している。
【００８４】
ステップＳ１０３において該当するスケジュール情報６０４が存在した場合（ステップＳ１０３：ＹＥＳ）、変更部４３０は、検出したスケジュール情報６０４に含まれる使用者情報を参照し、当該使用者がカメラ１０１を保持しているか否かを取得部４１０に問い合わせる（ステップＳＳ１０４）。
【００８５】
取得部４１０は、生体センサ１１１の検出結果と、使用者情報格納部４５０に格納された使用者情報６０１を照合して、カメラ１０１を保持している現使用者が、該当するスケジュール情報６０４に含まれる該当使用者であるか否かを変更部４３０に通知する。現使用者が該当使用者ではない場合（ステップＳ１０４：ＮＯ）、変更部４３０は、カメラ１０１の撮影モードが終了しているか否かを調べる（ステップＳ１０７）。カメラ１０１の撮影モードが終了していることが判った場合（ステップＳ１０７：ＹＥＳ）、変更部４３０の処理は終了する。また、ステップＳ１０７において、カメラ１０１の撮影モードが継続していることが判った場合（ステップＳ１０７：ＮＯ）、変更部４３０は、再び該当スケジュール情報を検索するステップＳ１０３に処理を戻す。なお、ステップＳ１０４およびステップＳ１０７が実行されている期間も、カメラ１０１は、その時点で既に設定されているカスタム設定に応じて撮影モードの動作を継続している。
【００８６】
取得部４１０が、該当使用者を検出したことを通知した場合（ステップＳ１０４：ＹＥＳ）、変更部４３０は、該当するスケジュール情報６０４に含まれるカスタム情報に従って、カスタム情報実行部４４０に格納されたカスタム情報の設定値を変更または維持する（ステップＳ１０５）。こうして、カメラ１０１は、スケジュール情報６０４において指定された該当使用者に合わせて予め入力されたカスタム設定になる。よって、カメラ１０１を保持した該当使用者は、カメラを手にした瞬間に、または現場における設定作業なしに、カメラ１０１を希望した設定にすることができる。
【００８７】
なお、カメラ１０１の使用者が一人に限られている場合は使用者を区別しなくてもよいので、スケジュール情報６０４における使用者情報を省いてもよい。その場合は、現使用者を認証するステップＳ１０４も省かれる。すなわち、該当するスケジュール情報６０４に含まれるイベント情報で規定されるイベントの開始と同時に、該当するスケジュール情報６０４に含まれるカスタム情報に従って、カスタム情報実行部４４０に格納されたカスタム情報の設定値が変更または維持される（ステップＳ１０５）。なお、イベントの開始は、時刻または時刻と合わせてカメラの場所で判断するようにしてもよい。
【００８８】
また、ステップＳ１０３において実行日時により特定される該当スケジュール情報６０４は、変更部４３０が検索した時点で複数検出される場合がある。このような場合は、続くステップＳ１０４において、カメラ１０１を手にしている現使用者に応じて、カメラ１０１に設定されるカスタム情報が選択される。
【００８９】
更に、カメラ１０１が、モードダイヤルのように、機械的にオルタネイトな動作を伴う操作部１１２を備えている場合、該当するスケジュール情報６０４に含まれるカスタム設定番号と操作部１１２の状態とが整合しない場合がある。このような場合、変更部４３０は、操作部１１２を操作すべき旨の案内を表示部１１４に表示してもよい。
【００９０】
カメラ１０１が該当するスケジュール情報６０４に含まれるカスタム設定番号に従って設定されると、変更部４３０は、該当するスケジュール情報６０４に記載された終了時刻が到来したか否かを監視する（ステップＳ１０６）。スケジュールの終了時刻が未だ到来していない場合（ステップＳ１０６：ＮＯ）、変更部４３０は、取得部４１０に、現使用者の問い合わせを繰り返す（ステップＳ１０４）。
【００９１】
これにより、カメラ１０１の現使用者が該当使用者ではないことが判明した場合（ステップＳ１０４：ＮＯ）、変更部４３０は、カメラ１０１の撮影モードが終了しているか否かを調べる（ステップＳ１０７）。カメラ１０１の撮影モードが終了していることが判った場合（ステップＳ１０７：ＹＥＳ）、変更部４３０の処理は終了する。また、ステップＳ１０７において、カメラ１０１の撮影モードが継続していることが判った場合（ステップＳ１０７：ＮＯ）、変更部４３０は、再び該当スケジュール情報を検索するステップＳ１０３に処理を戻す。ステップＳ１０６およびステップＳ１０７が実行されている期間も、カメラ１０１は、その時点で既に設定されているカスタム設定に応じて撮影モードの動作を継続している。
【００９２】
ここで、ステップＳ１０３において他のスケジュール情報６０４が検出され（ステップＳ１０３：ＹＥＳ）、更に、この該当スケジュール情報の使用者情報に記載された使用者が現使用者であった場合（ステップＳ１０４：ＹＥＳ）、変更部４３０は、他のスケジュール情報６０４に含まれるカスタム設定番号に従って、カメラ１０１の設定を変更する（ステップＳ１０５）。
【００９３】
ステップＳ１０６において、該当するスケジュール情報６０４の終了時刻到来が判明した場合（ステップＳ１０６：ＹＥＳ）、変更部４３０は、カメラ１０１の動作モードが撮影モードを継続しているか否かを調べる（ステップＳ１０７）。カメラ１０１が依然として撮影モードを継続している場合（ステップＳ１０７：ＮＯ）、変更部４３０は処理を再びステップＳ１０４に戻す。ステップＳ１０７においてカメラ１０１が撮影モードを終了していた場合（ステップＳ１０６：ＹＥＳ）、変更部４３０は、処理を初期状態に戻して、再びステップＳ１０１からの処理を実行する。
【００９４】
このように、端末装置２０１、２０２、２０３を用いて予めカスタム情報およびスケジュール情報を入力しておくことにより、カメラ１０１、１０２、１０３を使用する現場では設定の手間も時間もかけることなく、カスタム設定を利用できる。また、カメラ１０１の使用者が一人に限られている場合は、イベントの開始時刻に合わせて、カメラ１０１を希望した設定にすることができる。また、端末装置２０１、２０２、２０３におけるカスタム情報の入力を、カメラ１０１、１０２、１０３の使用により習熟した者が代行することにより、カメラ１０１、１０２、１０３を使用する使用者の技量を超えて、カスタム設定を駆使できる。なお、電子機器としてカメラを用いる形態について説明したが、上記のスケジュール情報の入力は、電子楽器、カーナビゲーション、業務用タブレット端末等のように、多くの設定項目を有し、且つ、複数の使用者が使用する電子機器において広く利用できる。
【００９５】
なお、カメラ１０１、１０２、１０３、端末装置２０１、２０２、２０３およびサーバ３０１の相互の通信は、一時的に途絶する場合がある。そのような場合にするスケジュール情報６０４の同期が遅れて、変更部４３０により実行されることなく、スケジュール情報で指定された日時が経過してしまう場合が生じ得る。そのような場合は、カメラ１０１、１０２、１０３および端末装置２０１、２０２、２０３の双方において、実行されることなく日時が到来したスケジュール情報６０４が存在することを表示してもよい。
【００９６】
また、例えば、スケジュール情報６０４は検出されているが、カメラ１０１の現使用者が手袋をしていて取得部４１０が現使用者を検出できない場合がある。このような場合、変更部４３０は、他の使用者情報を含む同じ日時のスケジュール情報６０４が検出されないことを条件として、使用者情報が一致しないままにカスタム情報を設定してもよい。
【００９７】
図１５は、カメラ１０１の動作手順の一部を詳細に示す流れ図である。図１４に示した流れ図のステップＳ１０２において、変更部４３０が該当するスケジュール情報６０４を検索する場合に、まず、カメラ１０１のスケジュール情報格納部４７０に該当スケジュール情報が格納されているか否かを検索する（ステップＳ２０１）。
【００９８】
ここで、該当するスケジュール情報が検出された場合（ステップＳ２０１：ＹＥＳ）、変更部４３０は、該当使用者を検出するステップＳ１０３に進む。ステップＳ２０１において該当するスケジュール情報が検出されなかった場合（ステップＳ２０１：ＮＯ）、変更部４３０は、サーバ３０１に該当スケジュール情報が格納されているか否かを問い合わせる（ステップＳ２０２）。
【００９９】
ステップＳ２０２において該当するスケジュール情報がサーバ３０１において検出された場合（ステップＳ２０２：ＹＥＳ）、変更部４３０は、該当使用者を検出するステップＳ１０３に進む。ステップＳ２０２において該当するスケジュール情報が検出されなかった場合（ステップＳ２０２：ＮＯ）、変更部４３０は、サーバ３０１を通じて、端末装置２０１、２０２のいずれかに該当スケジュール情報が格納されているか否かを問い合わせる（ステップＳ２０３）。
【０１００】
ステップＳ２０３において該当するスケジュール情報がいずれかの端末装置２０１、２０２において検出された場合（ステップＳ２０３：ＹＥＳ）、変更部４３０は、該当使用者を検出するステップＳ１０３に進む。ステップＳ２０３において該当するスケジュール情報が検出されなかった場合（ステップＳ２０３：ＮＯ）、変更部４３０は、該当するスケジュール情報が存在しないと判断して待機する（ステップＳ１０２：ＮＯ）。このように、該当するスケジュール情報が見つからない場合に、検索の範囲を順次拡大することにより、共有の遅れたスケジュール情報を取りこぼすことなく、使用しているカメラ１０１、１０２、１０３にカスタム情報を設定させることができる。
【０１０１】
なお、カメラ１０１がカスタム設定機能と通信機能とを実行できるハードウエアリソースを備えていれば、ここまでに説明した一連の機能は、カメラ１０１にソフトウエアを追加することにより実現できる。また、カメラ１０１に、通信機能とウェブアプリケーション実行機能とが実装されている場合は、サーバ３０１にアクセスすることにより、カメラ１０１に上記の機能を実現することもできる。
【０１０２】
また、カメラ１０１がカスタム情報生成部５２０とスケジュール情報生成部を備える構成とすることもできる。その場合、カメラ１０１は通信機能を有する必要はなく、ここまでに説明した一連の機能は、カメラ１０１単体で実施することが可能となる。
【０１０３】
図１６は、蓄積情報６０５の模式図である。蓄積情報６０５は、スケジュール情報６０４において指定された日時が既に経過した後に、過去の記録として、例えばサーバ３０１に蓄積される。
【０１０４】
蓄積情報６０５は、スケジュール情報６０４の内容に、当該スケジュール情報６０４で番号を指定されたカスタム設定情報の内容を加えた情報を有する。これにより、例えば、カメラ１０１、１０２、１０３において、あるカスタム設定番号の設定内容が変更された場合であっても、過去の設定情報を有効利用することができる。また、蓄積情報６０５が設定項目自体を記録していることにより、異なるカメラ１０１、１０２、１０３の間で、蓄積情報６０５を共通に利用できる場合がある。
【０１０５】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【０１０６】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【０１０７】
１００  インターネット、１０１、１０２、１０３  カメラ、１１１  生体センサ、１１２、２１１  操作部、１１３、２１３  通信部、１１４、２１２  表示部、１１５  撮像部、１１６、２１４  二次記憶部、１１７、２１５  制御部、１１８、２１６  格納部、１１９  時計、２０１、２０２、２０３  端末装置、３０１  サーバ、４１０  取得部、４２０  受付部、４３０  変更部、４４０  カスタム情報実行部、４５０  使用者情報格納部、４６０、５７０  カスタム情報格納部、４７０、５８０  スケジュール情報格納部、５１０  特定部、５２０  カスタム情報生成部、５３０  スケジュール情報生成部、５４０  送信部、５５０  特定情報格納部、６０１  使用者情報、６０２  機体情報、６０３  カスタム情報、６０４  スケジュール情報、６０５  蓄積情報、６１０  指定枠、６２０  メッセージ、６３０  入力フィールド、６４０  カーソル、６５０  プルダウンメニュー、６６０  表示枠、６７０、６７１、６７２、６７３  ボタン、６８０  カレンダー枠
【図１】
2014225154.tif 000003
【図２】
2014225154.tif 000004
【図３】
2014225154.tif 000005
【図４】
2014225154.tif 000006
【図５】
2014225154.tif 000007
【図６】
2014225154.tif 000008
【図７】
2014225154.tif 000009
【図８】
2014225154.tif 000010
【図９】
2014225154.tif 000011
【図１０】
2014225154.tif 000012
【図１１】
2014225154.tif 000013
【図１２】
2014225154.tif 000014
【図１３】
2014225154.tif 000015
【図１４】
2014225154.tif 000016
【図１５】
2014225154.tif 000017
【図１６】
2014225154.tif 000018